Podtech/llm-jp-corpus-v4-ja_patent huggingface dataset:
(57)【要約】      （修正有）【課題】複数枚の用紙を合わせて、用紙を綴じることができる用紙綴じ合わせボ−ドを提供する。【解決手段】ボ−ド１の二辺に用紙の縦と横方向を合わせる垂直に立ち上がるストッパ−部３を設け、このボ−ドに用紙を綴じるための切り落とし部４を儲け、用紙を合わせて綴じる。【選択図】図１
2013233784.tif 000002
【特許請求の範囲】
【請求項１】
ボ−ドの二辺に用紙の縦と横方向を合わせる垂直に立ち上がるストッパ−部を設け、このボ−ドに用紙を綴じるための切り落とし部を設け、用紙を合わせて綴じることができることを特徴とする用紙綴じ合わせボ−ド。
【発明の詳細な説明】
【技術分野】
【０００１】  本発明は、複数枚の用紙を合わせて、用紙を綴じることができる用紙綴じ合わせボ−ドに関するものである。
【背景技術】
【０００２】  従来、複数枚の用紙を綴じるときは、平らな場所で用紙の二辺を合わせて、片手で複数枚の用紙をずれないように持ち上げ綴じていた。
【発明の概要】
【発明が解決しようとする課題】
【０００３】  そのため次のような問題点があった。
（イ）綴じるため複数枚の用紙の縦と横方向を合わせる平らな場所が必要であった。
（ロ）綴じる時は綴じ具を持つため、合わせた用紙を片手で持つことになり、綴じる前に用紙がずれると合わせ直しが必要であった。
（ハ）合わせた用紙だけをずれないように強く持つため、用紙に折れ目をつけたり、よごしたりすることもあった。
本発明は以上の問題点を解決しようとするものである。
【課題を解決するための手段】
【０００４】  ボ−ドの二辺に用紙の縦と横方向を合わせる垂直に立ち上がるストッパ−部を設け、このボ−ドに用紙を綴じるための切り落とし部を設ける。
以上を特徴とする用紙綴じ合わせボ−ドである。
【発明の効果】
【０００５】  複数枚の用紙を平らな場所がなくても合わせることができ、用紙を綴じるまで、合わせた用紙がずれたりすることがない。
また、用紙だけをずれないように強く持つことがないので、用紙に折れ目をつけたり、よごしたりすることがない。
【図面の簡単な説明】
【０００６】
【図１】本発明の斜視図
【図２】本発明の使用状態を示す斜視図
【発明を実施するための形態】
【０００７】  以下、本発明の実施の形態について説明する。
（イ）ボード（１）の二辺に用紙（２）の縦と横方向を合わせる垂直に立ち上がるストッパ−部（３）（３）を設ける。
（ロ）ストッパ−部（３）（３）を両辺に有する角に用紙（２）を綴じるための切り落とし部（４）を設ける。
本発明は以上のような構成で、これを使用するときは、綴じる複数枚の用紙（２）をボ−ド（１）にのせて、用紙（２）の縦と横方向を合わせる垂直に立ち上がるストッパ−部（３）（３）で用紙（２）の縦と横方向を合わせ、ストッパ−部（３）（３）よりずれないように用紙（２）をのせたボ−ド（１）を持ち、ボ−ド（１）の切り落とし部（４）で用紙（２）だけになる部分を用紙（２）を綴じる綴じ具（５）を使用して用紙（２）だけを綴じる。
【符号の説明】
【０００８】  １  ボ−ド
２  用紙
３  ストッパー部
４  切り落とし部
５  綴じ具
【図１】
2013233784.tif 000003
【図２】
2013233784.tif 000004
(57)【要約】【課題】  最近、・書物・参考晝・一般的手帳類・ノート等には紐しおりが殆どついていない状態、読み書きの際いつも他の代用品、小さな切れ端の紙等を利用して栞代わりに使っているのですが、その栞代わりのしおりが邪魔で読み書きの際に、その栞の置き場所と面倒さに不便をいつも抱いて居ました。【解決手段】  本発明品（図１）を次のように利用すれば、簡単に解決します。  裏面・はがし紙（３）を剥がして、何時どこでも素早く図３・図４のようにどこにでも、本発明品をいとも簡単に貼り付けることができ、昔からの全く同じ栞紐状態として使用できます。【選択図】図３
2013233787.tif 000002
【特許請求の範囲】
【発明の詳細な説明】
【技術分野】
【０００１】  この発明は、  単行本・文庫本・新書版・雑誌・専門書又は手帳・ノート等に簡単にどこにでも、ワンタチで貼り付ける事のできる、しおりです。
【背景技術】
【０００２】  従来、  ハードカバーの本につけられる事が多かったが最近は費用的、又は技術的な問題の為か以前ほど用いられなくなってきました。更に各種類の本も同様に殆ど見受けられなくなった現状に対して、いとも簡単に栞を取り付ける事が出来る様にしたものであります。
【発明の概要】
【発明が解決しようとする課題】
【０００３】従来、付いていました栞。咋今の文庫本・単行本・手帳・ノート類には、ついておらず特に本を読む場合、一気に読み終えれば良いのですが、途中で終えた場合やっぱり栞が必要な為挟み込み用・紙栞又はぺージの端を折るなりして目的を果たしているのですが従来のように  栞がくっついていることにより気分良く読み書きできることを課題とする。
【課題を解決するための手段】
【０００４】以上の課題を解決する為に、当発明は両面テープの紙栞の端部にしおり紐を付けて、本・手帳・ノート類等へ、片面を剥がしワンタッチで固定貼り付ける為、容易に従来の栞紐の役目を誰でも簡単に備える事ができるようにしたものです。
【発明の効果】
【０００５】当発明は、いかなる本・ノート・手帳  又  栞を必要とするものに何時どこででも片面を剥すことにより、誰もが安価で簡単に素早く面白いように、栞を備える事ができます。
【図面の簡単な説明】
【図１】この発明の平面図である。
【図２】この発明の側面図
【図３】本発明品の実施形態（ブックカバーに貼り付け）を示す斜視図である。
【図４】本発明品をノート等（ブックカバーなしの場合）に貼り付けた実施形態を示す斜視図である
【発明を実施するための形態】
【０００６】この発明のー実施形態を、図３・図４に示す。
昨今、紐しおりをついた、書物・ノート類が非常に数少なくなってきた現状であります。それは制作費用又は技術的な問題で紐栞のなくした現状と考えられる点がありますので、それらを克服する為に図３で示す如くカバー付きの本であれば、本発明品を使用するとことにより簡単に解決します。
又、カバーなしの書物・ノート類（図４）へも簡単に貼り付けることができ、同じ効果を発揮することができます。
【実施形態の効果】
【０００７】この実施形態によれば、簡単にいかなる書物・ノート類にいとも簡単に取り付ける事ができ、本読み・ノート書き等に、楽しく目的のぺージを開くことができます。
【符号の説明】
【０００８】１  栞紙（両面テープ紙）    ２  栞紐    ３  はがし紙（裏面）
４  ブックカバー    ５  本・手帳等（カバー付き）
６  手帳・ノート・本等（カバーなし）
【図１】
2013233787.tif 000003
【図２】
2013233787.tif 000004
【図３】
2013233787.tif 000005
【図４】
2013233787.tif 000006
【手続補正書】
【提出日】平成24年7月27日(2012.7.27)
【手続補正１】
【補正対象書類名】特許請求の範囲
【補正対象項目名】全文
【補正方法】追加
【補正の内容】
【特許請求の範囲】
【請求項１】
片面のり付きテープに栞紐を固着させたもの。
【請求項２】
片面のり付き紙類に栞紐を固着させたもの。
【請求項３】
片面のり付き化成品に栞紐を固着させたもの。
(57)【要約】【課題】建築の内装材に使用される石膏ボードの削り合わせと、左右の面取りの能率を上げる為に鉋の形状と切削刃の設定を提供する。【解決手段】石膏ボード傍面と接する溝（１０）の斜めの部分に、クッション材（７）を挟んでステンレス板（６）を接着し、切削刃の設定は、ボード傍面とステンレス（６）との接点（５）に合わせ切欠溝（１２）に固定し、カッターナイフの切込み位置（９）で仕上げができる石膏ボード切削鉋である。また、押え刃（１３）使用で左右の面取りができる石膏ボード面取り鉋である。【選択図】図２
2013233785.tif 000002
【特許請求の範囲】
【請求項１】
石膏ボードの傍面に接する鉋の溝（１０）を斜めに形成しクッション材（７）を挟んでステンレス板（６）を接着する。
【請求項２】
切削刃（４）の設定は、石膏ボード傍面の上部と接するステンレス板（６）との接点（５）に刃先が合うように切次溝（１２）を形成する。
【請求項３】
石膏ボードの右端傍面の面取り用押え刃（１３）を取り付ける。
【発明の詳細な説明】
【技術分野】
【０００１】  本発明は、主に建築分野で使用されている石膏ボードの切り口を容易に早く仕上げができるようにするために、鉋の形状を改良したものである。
【背景技術】
【０００２】従来は石膏ボードの切り口を鉋やヤスリなどで削る際、削りすぎないように注意する必要があり、仕上げに手間と時間がかかっていた。そして、裏面が一度に仕上げられず、左右の面取りができるものがなかった。
【先行技術文献】
【特許文献】
【０００３】
【特許文献１】  特開  ２０１０−４２５７６号公報
【特許文献２】  特開  ２００４−２８４３３号公報
【発明の概要】
【発明が解決しようとする課題】
【０００４】今までの鉋では、石膏ボードにカッターナイフで切り込みを入れて折った際の凹凸面を綺麗に仕上げる為に、切り込みを入れたところを削りすぎないように注意して確認しながら鉋をかける必要があった。削る際、裏面の紙が捲れる可能性が高く、下地材との間に挟まって、表面に段差が生じるため切り取らなければならない。また、一台の鉋で一方向から左右の面取りができず、長く使用する過程で鉋の台が磨り減る難点があった。
【課題を解決する為の手段】
【０００５】そこで、本発明にあっては、石膏ボード（１４）にカッターナイフで切り込みをいれて、折った凹凸面（８）が鉋の溝（１０）に接する部分を斜めの形状にして、石膏ボードの傍面と鉋との接点（５）に切削刃（４）を合わせ、押え金具（２）と締め付けネジ（３）で本体（１）の切欠溝（１２）に固定し、石膏ボードに切り込み（９）を入れたところまで削り落とした時点でそれ以上削れないようにした。また、鉋の溝（１０）がすり減らないように斜めになっている溝（１０）の部分に、クッション材（７）を挟んでステンレス板（６）を接着する。
従って、クッション材（７）を使用することにより、やや強めに鉋を押し当てるとクッション（７）が縮み、接点（５）の部分から少し切削刃（４）が出た状態になるため、切削刃（４）を出し入れすることなく、力の入れ加減で切削量の調整ができ削り合わせを容易にした。削り合わせの場合に、切削刃の摩耗により表紙が捲れた時の為に逃げ道用の隙間（１１）を設けた。そして、従来の鉋では、平面で見た場合に刃の向きが右肩上がりになっているが、本発明では右肩下がりにしたため（以後逆刃）刃の喰いつきが良く、鉋をかける際に石膏ボードの裏紙まで綺麗に仕上げられるようにした。
因って、右端の傍面の面取りをする際、逆刃により表紙の捲れを防止するために押え刃（１３）を使用し、切削刃（４）と交差させ取り付けることにより表紙が捲れるのを解決した。それにより石膏ボードの傍面の仕上げと左右の傍面の面取りを容易にした。
【発明の効果】
【０００６】鉋をかける際、削り具合を気にすることなく削りあわせができるため作業能率が大幅に上がり、刃の向きを逆刃にしたため鉋をかけたときに台の浮きがなく、力を入れずに軽く削ることができる。また、削り合わせが必要な場合は、やや強めに押し当てて削ることにより刃の調整をすることなく容易に削り合せができる。そして、石膏ボードの向きや体勢を入れ替えることなく一方向から左右の面取りができる。
【図面の簡単な説明】
【０００７】
【図１】  本発明の平面図である。
【図２】  本発明の使用状態を示す断面図である。
【図３】  本発明の使用状態を示す断面図である。
【図４】  本発明の斜視図である。
【図５】  本発明の裏面図である
【発明を実施するための形態】
【０００８】以下、本発明の実施の形態について説明する。
（イ）切削刃の向きは、鉋本体（１）に右肩下がりで切欠溝（１２）を形成する。
（ロ）石膏ボードの傍面に接する溝（１０）の部分を斜めに形成しクッション材（７）を挟んで、ステンレス板（６）を接着する。
（ハ）切削刃の設定は、石膏ボードの傍面とステンレス板（６）との接点（５）に合せ切欠溝（１２）に固定する。
（ニ）表紙が捲れた場合の隙間（１１）を設ける。
（ホ）右傍面の面取用の押え刃（１３）を取り付ける。
【符号の説明】
【０００９】１  鉋本体
２  押え金具
３  締め付けネジ
４  切削刃（カッターナイフ）
５  接点
６  ステンレス板
７  クッション材
８  ボード凹凸面
９  ナイフ切り込み位置
１０  溝
１１  隙間
１２  切欠溝
１３  押え刃
１４  石膏ボード
【図１】
2013233785.tif 000003
【図２】
2013233785.tif 000004
【図３】
2013233785.tif 000005
【図４】
2013233785.tif 000006
【図５】
2013233785.tif 000007
(57)【要約】      （修正有）【課題】限られた印字スペースをページの増減によって調整し、小型化した事で携帯性・収納性を高め、結婚する二人のオリジナルデザイン構成の基本構造を提供する。【解決手段】結婚式の披露宴に用いられる会場内の席次表に於いて、4ページから28ページ前後で構成され小冊子形式。斬新な形のその一は横形。その二は横約25cmから10 cm、縦16cmから5cmサイズなので礼服のポケットや手持ちバックに収納が可能で挙式中等の携帯が身軽に。その三は全体図と列ごとに表示しわかりやすい表記。その四は新郎新婦の手書きメッセージで挨拶文を入れたり、家系図や二人のイメージ写真集等席次表の枠を飛び越えた演出効果。がサイズを小さくし収納可能にした。ページ構成でページの上限が可能なことでコストコントロールが可能。ページを増やして更なるオリジナルの可能性がでる。【選択図】なし【特許請求の範囲】
【請求項１】
結婚披露宴等の各種パーティーや式典において、列席者に配布される席次表であって、列席者の氏名と続柄が記載されている席次部と、主催者の挨拶文と主催者の紹介とイメージアップ写真と料理メニュー表とその他主催者が載せたい情報を記載した本形状を有することを特徴とする席次表。
【発明の詳細な説明】
【技術分野】
【０００１】
本発明は席次表と婚礼に必要な情報とお知らせ等をまとめた物に関するものである。
【背景技術】
【０００２】
サイズを小型にして携帯性を高め、見開きページに席次表横一列分を表示する事で見やすさが向上。
【先行技術文献】
【特許文献】
【０００３】
【特許文献１】実用新案登録第３１３０９７８号
【発明の概要】
【発明が解決しようとする課題】
【０００４】
本発明によって限られた印字スペースをページの増減によって調整し、小型化した事で携帯性・収納性を高めた。
【実施例】
【０００５】
結婚する二人のオリジナルデザイン構成であるが簡単に構成する為の基本構造がある。
【０００６】
基本構造は、表紙1ページに二人のイメージ写真やイラストと名前や結婚式テーマのタイトル、2と3ページには手書き挨拶文と二人の写真、4と5ページは新郎写真とプロフィール紹介、6と7ページは新婦写真とプロフィール紹介、8と9ページは食事メニューと自由ページ、10ページは全体席次表に一列目に印、11ページは一列目席次表、12ページは全体席次表に二列目に印、13ページは二列目席次表、14ページは全体席次表に三列目に印、15ページは三列目席次表、16ページは全体席次表に四列目に印、17ページは四列目席次表18ページは全体席次表に五列目に印、19ページは五列目席次表、列が五に満たない場合や2から9ページののせたくない情報がある場合は本総ページから4ページ単位で減らす又は自由ページにする事ができる、20ページは裏表紙となる。
又列は縦、横共に可能である。
(57)【要約】      （修正有）【課題】主に食品・医薬品製造分野における定置式タンク内部の洗浄装置として、回転運動や昇降運動を伴わず固定式の構造で、加工誤差、取付精度等による悪影響を受けずに狙った場所を確実に洗浄することが可能な、洗浄精度の高い洗浄装置を提供する。【解決手段】丸棒材より削り出して穴あけを行う精密パイプ構造の噴射ノズルを、噴射パターンが円錐状だけではなく、ノズル先端を扁平状に加工し、広角扁平状の噴霧パターンを持つ形状で、噴射ノズルの先端を微調整によって曲げることにより、洗浄液の噴霧方向が微調整可能で、溶接によって複数箇所に取り付けられた噴霧ノズルを提供する。【選択図】図１
2013233533.tif 000002
【特許請求の範囲】
【請求項１】
固定式洗浄装置として、単一部品一体構造のパイプ形状本体から、丸棒材より削り出して穴あけを行う精密パイプ構造の噴射ノズルを、噴射パターンが円錐状だけではなく、ノズル先端を扁平状に加工し、広角扁平状の噴霧パターンを持つ形状で、噴射ノズルの先端を微調整によって曲げることにより、洗浄液の噴霧方向を微調整可能な、溶接によって複数箇所に取り付けられた噴霧ノズルを有する洗浄装置。
【発明の詳細な説明】
【技術分野】
【０００１】この発明は、食品・医薬産業界における、定置式タンクの洗浄装置に関するものである。食品・医薬業界では主に液の調合、反応等を目的とした容器を使用するが、内容液を入れ替えて使用する際には、必ず容器内部を洗浄し、乾燥、滅菌等を施した上で次の製品を使用する。製品の特性上、容器内を確実に洗浄する必要があるため、密閉状態において自動洗浄装置を使用して洗浄を実施することを求められ、製品の特質によっては特に高いサニタリー性を要求され、洗い残しの無いように検証を行う必要がある。
【従来の技術・背景】
【０００２】従来の洗浄装置においては、固定式のスプレーボール（全球型）をはじめ回転式、旋回式、昇降式などがあるが、食品や医薬品は製品中に異物の混入を嫌うため、一般的には固定式のスプレーボールが多く使用される。しかしながら固定式スプレーボールの穴あけ精度や、取付ノズルの精度、ノズルの傾きなどによる誤差が災いして、なかなか設計通りの位置を狙って洗浄することは困難である。一方ではこの精度による誤差の影響を受けにくい回転式洗浄装置等は非常に有効ではあるが、水流等による駆動方式が主流であるために、圧力変動等による水流の変化や、回転駆動不良等による洗浄不具合などが発生する可能性が高く、かつ異物混入の潜在的な抵抗もあって、実際には採用されるケースは少ない。
【０００３】食品・医薬産業界においては、洗浄装置本体そのものにおける洗浄不良等による雑菌の繁殖、コンタミネーションを嫌うため、洗浄装置の構造が複雑なものは敬遠される傾向にあり、構造がシンプルで取外し分解手洗浄などが容易なものが望ましい。
【０００４】従来は取付パイプと噴射穴の開いた薄板製球体をピンと止具で組付けていたが、本発明は主パイプに複数の噴射ノズルが溶接された一体構造であるため組付け時の間違いは無く、組付け部分からの洗浄液漏れも無く、又組付け部分の隙間による誤方向噴射も無い構造である。
【０００５】オリフィス状の穴からは洗浄液が飛散して洗浄すべき点に到達する洗浄液量が少ないが、本発明は主パイプに溶接したパイプ状噴射ノズルから噴射するので、噴射方向が正確で飛散の少ない洗浄液がまとまって、強い衝撃力で洗浄すべき個所に到達する。
【０００６】従来は球体にドリルで開けた丸穴だけなので、噴射パターンが狭い円錐状であるが、本発明は噴射ノズル先端を扁平にも加工するので、洗浄液を広角で扁平に噴射して広い範囲を万遍なく洗浄が可能である。
【発明の開示】
【発明が解決しようとする課題】
【０００７】本発明は食品・医薬品業界向けの洗浄装置として、まったく新しい発想で容器を洗浄する固定式の洗浄装置である。従来の固定式洗浄ボールは、複数の部品を組付けているので、組付け間違い、隙間からの液漏れ、隙間寸法による振れがあり洗浄不良が発生している。【０００８】従来の薄板製球体構造の固定式洗浄ボールに開いた穴では、噴射方向の精度が不正確で、しかも修正が事実上不可能であった。【０００９】従来の薄板製球体構造の固定式洗浄ボールに開いた穴では、洗浄液が円錐状に飛散して散らばってしまうため、実際には洗浄すべき点に到達する洗浄液が少なく洗浄不良となる。
【課題を解決するための手段】
【００１０】本発明による固定式洗浄装置は、主パイプに複数の噴射ノズルを溶接しただけの単一部品の一体構造である。【００１１】単一部品一体構造の主パイプに溶接された複数の噴射ノズルは、溶接後に治具を使用して曲げ加工が可能なので、噴射ノズルを洗浄すべき個所方向へ曲げて修正可能である。【００１２】噴射ノズルは、丸棒材より削り出して穴あけを行う精密パイプ構造としたため、ノズル先端部分を扁平形状等に加工することにより噴射パターンを変化する事が可能である。
【発明の効果】
【００１３】単一部品一体構造なので、組付け時の付け間違い等が無く、組付け部分の隙間からの洗浄液漏れも無い。また洗浄精度に悪影響を与える組付け部分の隙間による振れも無くなる。【００１４】本品は、単一部品一体構造の主パイプに、丸棒材より削り出して穴あけを行う精密パイプ構造の噴射ノズルを溶接した単純な構造であるため、本発明の完成品をタンクに取付けた後でも、噴射ノズルの先端を微調整によって曲げることにより、洗浄液の噴霧方向を微調整して、正確に洗浄すべき個所への噴射方向の修正が可能である。【００１５】噴射液の噴射パターンが円錐状だけではなく、ノズル先端を扁平状に加工すれば、広角扁平状に噴射された広角で広範囲な洗浄が可能となり、洗浄ノズルが最適化され、結果的に洗浄に使用する水量を節約することが可能となる。
【発明を実施するための最良の形態】
【実施例】
【００１６】洗浄液を分配する主パイプの周囲に、洗浄すべき個所方向へ最適化された方向へ向けて、先端を加工したノズルを複数溶接する。
【図面の簡単な説明】
【００１７】スティック型固定式洗浄装置の図である。
【図１】
2013233533.tif 000003
【図２】
2013233533.tif 000004
【手続補正書】
【提出日】平成24年7月31日(2012.7.31)
【手続補正１】
【補正対象書類名】明細書
【補正対象項目名】００１７
【補正方法】変更
【補正の内容】
【００１７】
【図１】ノズルの断面図である。
【図２】ノズルの立体イメージ図である。
(57)【要約】      （修正有）【課題】従来のカゴに付ける防犯用品であるネットやカゴカバーよりも手軽に落下やひったくり防止が出来る自転車のバッグ落下、ひったくり防止フックを提供する。【解決手段】自転車のハンドル部分１に接続部分２を付け、その接続部分にカバンの持ち手を引っ掛ける為のネジ４で止めるプラスチック等でできたフック３を設けた。フック３は、自転車を運転する体の方へ向けるものであり、持ち手の短いカバンや荷物を落下やひったくりから守ることができる。【選択図】図１
2013233916.tif 000002
【特許請求の範囲】
【請求項１】
自転車のハンドル部分への接続部分（１）を設け、その部分よりカバン等の持ち手を引っ掛けることの出来るフックを設けた自転車のバッグ落下、ひったくり防止のできるフックである。
【発明の詳細な説明】
【技術分野】
【０００１】    本発明は、自転車のハンドルに設置し、バッグ等の持ち手の短い物も簡単にひっかけ落下やひったくりを防止するものである。
【背景技術】
【０００２】  従来のカゴに付ける防犯用品と言えばネットやカゴカバーだったが、それらよりも手軽にフックに持ち手を引っ掛けることにより、落下やひったくり防止が出来る。
【発明の概要】
【発明が解決しようとする課題】
【０００３】  持ち手の短いカバン等を自転車の前カゴへ入れた時に、引っ掛ける場所が無く、ハンドルやハンドルに付いているベルに無理やり引っ掛けていた。又は、カゴに入れるだけでも落下やひったくりに持っていかれることも多かった。又、今までのネットやカゴカバーは面倒で若い人や男性の使用頻度が低かったが、本発明は以上のような欠点をなくす為になされたものである。
【課題を解決するための手段】
【０００４】  自転車のハンドル部分に（１）に接続部分（２）を付け、その接続部分よりカバンの持ち手を引っ掛ける為のフック（３）を設ける。
接続部分（２）は、自転車のハンドルに合わせられる様ネジにて調節出来るようにする。
そしてフック（３）は、自転車を運転する体の方へ向けるものである。
【発明の効果】
【０００５】  本発明は、自転車に取り付けておくだけで持ち手の短いカバンや荷物を落下やひったくりから守ることができ、今までのカゴカバーやネットより男女問わず使用出来るものである。
【発明の効果】
【０００６】  以下、本発明を実施する為の形態について説明する。
自転車のハンドル部分（１）に接続部分（２）を設置し、そこから出ているフック（３）からなる。接続部分（２）を自転車のハンドル部分（１）に運転する体の方へフック（３）を向けて固定する。
本発明を使用するときは、常に自転車に装着しておき、持ち手の短いカバンをカゴに入れてフックを掛けておくと落下やひったくりから防止することが出来るものである。
【符号の説明】
【０００７】１．  自転車のハンドル部分の接続箇所
２．  カバンの持ち手部分を引っ掛ける為のフック
【図１】
2013233916.tif 000003
【図２】
2013233916.tif 000004
【手続補正書】
【提出日】平成24年7月4日(2012.7.4)
【手続補正２】
【補正対象書類名】明細書
【補正対象項目名】全文
【補正方法】変更
【補正の内容】
【発明の詳細な説明】
【技術分野】
【０００１】本発明は、自転車のハンドルに設置し、バッグ等の持ち手の短い物も簡単にひっかけ落下やひったくりを防止するものである。
【背景技術】
【０００２】  従来のカゴに付ける防犯用品と言えばネットやカゴカバーだったが、それらよりも手軽にフックに持ち手を引っ掛けることにより、落下やひったくり防止が出来る。
【発明の概要】
【発明が解決しようとする課題】
【０００３】  持ち手の短いカバン等を自転車の前カゴへ入れた時に、引っ掛ける場所が無く、ハンドルやハンドルに付いているベルに無理やり引っ掛けていた。又は、カゴに入れるだけでも落下やひったくりに持っていかれることも多かった。又、今までのネットやカゴカバーは面倒で若い人や男性の使用頻度が低かったが、本発明は以上のような欠点をなくす為になされたものである。
【課題を解決するための手段】
【０００４】  自転車のハンドル部分に（１）に接続部分（２）を付け、その接続部分よりカバンの持ち手を引っ掛ける為のフック（３）を設ける。
接続部分（２）は、自転車のハンドルに合わせられる様ネジにて調節出来るようにする。
そしてフック（３）は、自転車を運転する体の方へ向けるものである。
【発明の効果】
【０００５】  本発明は、自転車に取り付けておくだけで持ち手の短いカバンや荷物を落下やひったくりから守ることができ、今までのカゴカバーやネットより男女問わず使用出来るものである。
【発明の効果】
【０００６】  以下、本発明を実施する為の形態について説明する。
自転車のハンドル部分（１）に接続部分（２）を設置し、そこから出ているフック（３）からなる。接続部分（２）を自転車のハンドル部分（１）に運転する体の方へフック（３）を向けて固定する。
本発明を使用するときは、常に自転車に装着しておき、持ち手の短いカバンをカゴに入れてフックを掛けておくと落下やひったくりから防止することが出来るものである。
【図面の簡単な説明】
【０００７】
【図１】装着図
【図２】立体図  本発明を使用する時は、（３）のフックを自分側に向けて（２）をハンドル部分に通し、（４）のネジで止めつける。
【符号の説明】
【０００８】［図１］
（１）ハンドル
（２）ハンドル部分への接続部分
（３）フック
（４）ネジ
［図２］
（２）ハンドル部分の接続部
（３）フック
（４）ネジ
【手続補正３】
【補正対象書類名】特許請求の範囲
【補正対象項目名】全文
【補正方法】変更
【補正の内容】
【特許請求の範囲】
【請求項１】
自転車のハンドル部分への接続部分（１）を設け、その部分よりカバン等の持ち手を引っ掛けることの出来るフックを設けた自転車のバッグ落下、ひったくり防止の出来るフックである。
【手続補正５】
【補正対象書類名】図面
【補正対象項目名】全図
【補正方法】変更
【補正の内容】
【図１】
2013233916.tif 000005
【図２】
2013233916.tif 000006
(57)【要約】【課題】三日月形の先の尖った爪でプルタブに引っ掛け捩り開けるので指爪を傷めず安全なハート鍵形全プルタブオープナーを提供する。【解決手段】ハート形のハンドルにステンレスの支軸を設け、該支軸の中程両側に三日月形の断面の先の尖ったステンレスの爪を設け、該爪の前後３センチの長さで１センチ程の太さの硬質ゴムを支軸に被い設けたことを特徴とするハート鍵形全プルタブオープナー。【選択図】図１
2013233992.tif 000002
【特許請求の範囲】
【請求項１】
ハート形のハンドルにステンレスの支軸を設け、該支軸の中程両側に三日月形の断面の先の尖ったステンレスの爪を設け、該爪の前後３センチの長さで１センチ程の太さの硬質ゴムを支軸に被い設けたことを特徴とするハート鍵形全プルタブオープナー。
【発明の詳細な説明】
【技術分野】
【０００１】本発明は、全ての缶プルタブを楽に開けるための鍵形オープナーに関するものである。
【背景技術】
【０００２】従来、ステンレスの板の表裏に波形のゴムを張り合わしたオープナーがあった。
【先行技術文献】
【０００３】
【特許文献１】
【特許文献２】
【発明の概要】
【発明が解決しようとする課題】
【０００４】その為に、次のような問題点があった。
（イ）爪先だけなので引っ掛けても滑りやすかった。
（ロ）爪先の後に凹みがないので安定した全開が難しかった。
本発明は、これらの問題点を解決するためになされたものである。
【課題を解決する為の手段】
【０００５】ハート形のハンドルにステンレスの支軸を設け、該支軸の中程両側に三日月形の断面の先の尖ったステンレスの爪を設け、該爪の前後３センチの長さで１センチ程の太さの硬質ゴムを支軸に被い設ける。
以上を特徴とするハート鍵形全プルタブオープナーである。
【発明の効果】
【０００６】ハート形のハンドルの先の爪でプルタブを引っ掛け捩じり開けるので指爪を痛めず安全である。
【図面の簡単な説明】
【０００７】
【図１】本発明の缶詰プルタブ爪引っ掛け図
【図２】本発明の爪先図
【図３】本発明のジュース缶プルタブ爪引っ掛け図
【図４】本発明のジュース缶プルタブ捩り開け図
【発明を実施する為の形態】
【０００８】以下、本発明の実施の形態について説明する。
（イ）ハート形のハンドル（１）にステンレスの支軸（２）を設け、該支軸の両側に三日月形の断面の先の尖ったステンレスの爪（３）を設ける。
（ロ）三日月形の断面の先の尖ったステンレスの爪（３）の前後３センチの長さで太さ１センチ程の太さの硬質ゴムを支軸（２）に被い設ける。
本発明は以上のような構成で、これを使用するときはステンレスの先の尖った爪（３）をプルタブ（５）に引っ掛けて、ハート形ハンドル（１）を捩じればプルタブ（５）が持ち上げり開缶するので指先に力の無い老人やネイルエナメルを施した女性なども手軽に使用することが出来る。しかも、三日月形の断面の先の尖った爪（３）が支軸の両側にあるために、右利きの人も、左利きの人にも便利に使って頂く事が出来る。
【符号の説明】
【０００９】１  ハート形のハンドル
２  支軸
３  三日月形の断面の先の尖ったステンレスの爪
４  支軸を被う硬質のゴム
５  缶詰プルタブ
６  缶詰
７  ジュース缶プルタブ
８  ジュース缶
【図１】
2013233992.tif 000003
【図２】
2013233992.tif 000004
【図３】
2013233992.tif 000005
【図４】
2013233992.tif 000006
(57)【要約】【課題】コーヒーノキ果実由来の複合多糖質からなる食品又は食品添加物の提供を目的とする。【解決手段】コーヒーノキの果実から果皮及び果肉を除去し、次にコーヒーの種子の表面を形成している粘質層を溶媒に、溶解又は／及び分散溶出し、当該溶出液を粉末化して得られることを特徴とする。【選択図】  なし【特許請求の範囲】
【請求項１】
コーヒーノキの果実から果皮及び果肉を除去し、
次にコーヒーの種子の表面を形成している粘質層を溶媒に、溶解又は／及び分散溶出し、
当該溶出液を粉末化して得られることを特徴とするコーヒー果実由来の食品又は食品添加物。
【発明の詳細な説明】
【技術分野】
【０００１】
本発明は、コーヒーノキの果実から採取される種子の表面を覆う粘質層から得られる食品又は食品添加物に関する。
【背景技術】
【０００２】
コーヒー豆を焙煎し、その抽出物がコーヒー飲料として世界中で飲まれていることから、多くの国々にてコーヒーノキが栽培されている。
コーヒーノキから採取される果実中に２粒の向き合って配置された種子が存在し、この種子の表面は粘質物質で覆われている。
この粘質物質はペクチンと称される複合多糖類であり、コーヒーノキ果実由来の特有の性質を有する。
しかし、これまでは、コーヒー豆の精製過程で除去され廃棄処理されていた。
特許文献１にコーヒーチェリー製品を開示するが、この粘質層（粘質物質）の特性を有効に活用したものではない。
【先行技術文献】
【特許文献】
【０００３】
【特許文献１】特表２００６−５１３７２２号公報
【発明の概要】
【発明が解決しようとする課題】
【０００４】
本発明は、コーヒーノキ果実由来の複合多糖質からなる食品又は食品添加物の提供を目的とする。
【課題を解決するための手段】
【０００５】
本発明はコーヒーノキ果実由来の食品又は食品添加物であって、コーヒーノキの果実から果皮及び果肉を除去し、次にコーヒーの種子の表面を形成している粘質層を溶媒に、溶解又は／及び分散溶出し、当該溶出液を粉末化して得られることを特徴とする。
【０００６】
この粘質層はペクチンであることが分かっているが、ペクチンは複合多糖類の総称であり、ポリガラクツロン酸と多様な糖を含むものの、コーヒーノキから採取される果実由来のペクチンには、その特有の甘味があることが本発明者の実験で分かった。
【０００７】
コーヒーノキの果実から機械的に果皮と果肉を除去するか、又は果実を水につけて湿式的に果皮及び果肉を除去すると、表面がぬるりとした種子が得られる。
この種子を例えばステンレス製のメッシュ容器に入れて撹拌すると、表面の粘質物（ぬめりとも称されている）が取れる。
この上から、お湯（６０〜９５℃）をかけると、粘質物の一部がお湯に溶け、残りがお湯の中に分散して下に落下する。
この混合液を約−４０℃に凍結し、次に粉砕し、減圧下で乾燥（フリーズドライ）すると、粉末状の物質が得られる。
なお、スプレードライ方式にて粉末にしてもよい。
【発明の効果】
【０００８】
本発明に係るコーヒーノキの果実由来の粘質物（粘質層）を溶媒に溶解又は／及び分散溶出させた後に粉末化した物質は、甘味があり、そのまま食することもできるが、各種食品に添加して用いる食品添加物としての利用が可能である。
【発明を実施するための形態】
【０００９】
次に具体例に基づいて、抽出及び粉末化方法を説明する。
コーヒーノキの果実を水につけて果皮と果肉を取り除き、ステンレス製のざるに入れた。
その種子の量は約４００ｇであった。
ざるの中に入れた種子は、表面がぬるりとした粘質物に覆われている。
【００１０】
種子を手で揉むようにして撹拌し、次にざるの上から約７０℃のお湯をかけ、下から容器で受け取った。
容器には粘質物で懸濁した混合液が得られた。
なお、この場合にお湯にクエン酸等のキレート剤を溶解した溶媒を抽出液に用いると、さらに効率よく粘質物を抽出することができる。
【００１１】
次に上記で得られた抽出液を約−４０℃に冷凍した。
凍結した抽出物を細かく砕き、密封容器に移し真空に減圧し、ゆっくりと温度を上げ、最終的には常温にした。
これにより、粉末状の抽出物が得られ、この抽出物は甘味があった。
砂糖よりもまろやかな甘味があり、各種食品添加物としての利用が期待される。
(57)【要約】【課題】柚子や柑橘類は、加工した後の皮を利用する用途が風味を生かした薬味や寒露煮など限られており、その需要が少なくその大半が産業廃棄物として廃棄されていた。【解決手段】柚子皮をミキサーでペースト状にして、出汁醤油などで味をつけた麹もミキサーでペースト状にして、双方を混ぜ合わせて、その混合物を熱を加えて焦付かないようにかき混ぜながら水分を蒸発させて、新しい発想の柚子味噌を作る。日本人の食生活に欠かせない味噌の原料にすることによってその需要が多く見込まれ、産業廃棄物として廃棄処理する量を減少させることによって、環境破壊防止に貢献できる。【特許請求の範囲】
【請求項１】
柚子の皮と麹を主原料とした食品
【請求項２】
柚子の皮と米を主原料とした食品
【請求項３】
柑橘類の皮と麹を主原料とした食品
【発明の詳細な説明】
【技術分野】
【０００１】本特許は、柚子の皮及び柑橘類の皮と麹を混ぜ合わせて味噌の味に近い食料品を作るものである。
【背景技術】
【０００２】従来は、柚子を搾汁したあとの柚子皮は、その風味を生かして、うどんや吸い物の薬味として利用されていた。
しかし、その需要は少なく、大半の柚子皮は廃棄処分されていた。
また、柑橘類の皮も需要がなく、廃棄処分されていた。
【発明の概要】
【発明が解決しようとする課題】
【０００３】柚子の加工所では、搾汁した後の皮は、少しだけ寒露煮などの柚子皮商品として利用されていたが、その商品に対する需要が少ないため、大量生産が出来ず、その大半が産業廃棄物として廃棄されていた。
柑橘類は、ジュースや缶詰などの加工後、その皮の多くは産業廃棄物として廃棄されていた。
【課題を解決するための手段】
【０００４】柚子皮をミキサーでペースト状にして、出汁醤油などで味をつけた麹もミキサーでペースト状にして、双方を混ぜ合わせて、その混合物を熱を加えて焦付かないようにかき混ぜながら水分を蒸発させて、柚子味噌を作る。
【発明の効果】
【０００５】今まで大量に廃棄されていた柚子の皮及び柑橘類の皮を、新しい発想の味噌の原料として利用することにより廃棄する量を大幅に減少させることが可能になり環境破壊防止にもなる。
【発明を実施するための形態】
【０００６】麹を出し液に浸して味付けを行い、柚子の皮のペーストと出し液に浸した麹をミキサーにかけてペースト状にしたものとを混ぜ合わせて、熱を加え、焦げ付かないように攪拌しながら水分を蒸発させて、新しい発想の味噌を作る。
【産業上の利用可能性】
【０００７】味噌の風味の中に柚子の風味がしっかりと感じることができるので調理の幅が広がり、飲食店や家庭でも利用することが出来る。
(57)【要約】【課題】構造が簡単で安価にタッチパネル式機器の表示画面をクリーニングする。【解決手段】表示画面（２１）上に設けられ接触の位置と接触の有無を検出するタッチパネル式機器（２０）のクリーニング装置（１０）であって、長辺又は短辺に前記タッチパネル式機器を挿入する挿入口（１１ｃ）を有するケース（１１）と、前記ケースの挿入口付近に設けられ、前記タッチパネル式機器の挿入動作で前記表示画面を清掃する清掃部材（１２）と、前記ケース内に設けられ、挿入された前記タッチパネル式機器の表示画面に殺菌光を照射する殺菌灯（１３）とを備える。【選択図】図２
2013086012.tif 000002
【特許請求の範囲】
【請求項１】
表示画面上に設けられ接触の位置と接触の有無を検出するタッチパネル式機器のクリーニング装置であって、
長辺又は短辺に前記タッチパネル式機器を挿入する挿入口を有するケースと、
前記ケースの挿入口付近に設けられ、前記タッチパネル式機器の挿入動作で前記表示画面を清掃する清掃部材と、
前記ケース内に設けられ、挿入された前記タッチパネル式機器の表示画面に殺菌光を照射する殺菌灯と、
を備えたタッチパネル式機器のクリーニング装置。
【請求項２】
請求項１に記載のタッチパネル式機器のクリーニング装置において、
前記清掃部材は、メラミン樹脂であること、
を特徴とするタッチパネル式機器のクリーニング装置。
【請求項３】
請求項１又は請求項２に記載のタッチパネル式機器のクリーニング装置において、
前記タッチパネル式機器を充電する充電器をさらに備えたこと、
を特徴とするタッチパネル式機器のクリーニング装置。
【発明の詳細な説明】
【技術分野】
【０００１】
本発明は、携帯電話やＰＤＡなどのタッチパネル式機器の表示画面をクリーニングするタッチパネル式機器のクリーニング装置に関するものである。
【背景技術】
【０００２】
従来、この種のクリーニング装置として、例えば、タッチパネルの表示画面を覆う保護シートを移動させ、この保護シートの表面に付着した汚れを除去するタッチパネルの清掃機構が知られている（例えば、特許文献１）。
【先行技術文献】
【特許文献】
【０００３】
【特許文献１】特開２００１−３２１７３２号公報
【発明の概要】
【発明が解決しようとする課題】
【０００４】
しかし、前述した従来の装置では、可動部分があるので、装置が大掛かりになり、高価であるという問題があった。
【０００５】
本発明の課題は、構造が簡単で安価なタッチパネル式機器のクリーニング装置を提供することである。
【課題を解決するための手段】
【０００６】
前記課題を解決するために、請求項１の発明は、表示画面（２１）上に設けられ接触の位置と接触の有無を検出するタッチパネル式機器（２０）のクリーニング装置（１０）であって、長辺又は短辺に前記タッチパネル式機器を挿入する挿入口（１１ｃ）を有するケース（１１）と、前記ケースの挿入口付近に設けられ、前記タッチパネル式機器の挿入動作で前記表示画面を清掃する清掃部材（１２）と、前記ケース内に設けられ、挿入された前記タッチパネル式機器の表示画面に殺菌光を照射する殺菌灯（１３）と、を備えたタッチパネル式機器のクリーニング装置を提供する。
請求項２の発明は、請求項１に記載のタッチパネル式機器のクリーニング装置において、前記清掃部材は、メラミン樹脂であること、を特徴とするタッチパネル式機器のクリーニング装置を提供する。
請求項３の発明は、請求項１又は請求項２に記載のタッチパネル式機器のクリーニング装置において、前記タッチパネル式機器を充電する充電器をさらに備えたこと、を特徴とするタッチパネル式機器のクリーニング装置を提供する。
以上、理解を容易にするために、本発明の実施形態に対応する符号を付して説明したが、これに限定されるものではない。なお、符号を付して説明した構成は、適宜改良してもよく、また、少なくとも一部を他の構成に代替してもよい。
【発明の効果】
【０００７】
本発明によれば、構造が簡単で安価にタッチパネル式機器の表示画面をクリーニングすることができる、という効果がある。
【図面の簡単な説明】
【０００８】
【図１】本発明によるタッチパネル式機器のクリーニング装置の実施形態を示す外観斜視図である。
【図２】本発明によるタッチパネル式機器のクリーニング装置の実施形態の内部構造を示す模式図である。
【発明を実施するための形態】
【０００９】
以下、図面等を参照して、本発明の実施の形態について、さらに詳しく説明する。
（実施形態）
この実施形態のタッチパネル式機器のクリーニング装置１０は、表示画面上２１に設けられ、接触の位置と接触の有無を検出する携帯電話、スマートフォン、タブレット、ＰＤＡなどのタッチパネル式機器２０を清掃する装置であって、ケース１１と、清掃部材１２と、殺菌灯１３と、スイッチ１４と、電源回路１５と、プラグ１６，１７などとを備えている。
【００１０】
ケース１１は、ケース本体１１ａとケース蓋体１１ｂからなり、上部短辺側にタッチパネル式機器２０を挿入する挿入口１１ｃが設けられている。
【００１１】
清掃部材１２は、ケース１０の挿入口１１ｃ付近に設けられ、タッチパネル式機器２０の挿入又は取り出し動作で、表示画面２１を清掃する部材であり、例えば、棒状のメラミン樹脂などが好適に用いられる。
【００１２】
殺菌灯１３は、ケース本体１１ａ内に設けられ、挿入されたタッチパネル式機器２０の表示画面２１に殺菌光を照射するものであり、例えば、弱い紫外線を発光する短波長ＵＶランプを用いることができる。殺菌灯１３の裏面には、ケース本体１１ａ内の全体に紫外線が照射されるように、反射板１３ａが設けられている。
【００１３】
スイッチ１４は、タッチパネル式機器２０を挿入したときに、この装置１０がオンする起動スイッチである。また、ケース１１内には、電源回路１５が設けられており、殺菌灯１３に安定した電力を供給している。なお、１６は、外部電源用のプラグ、１７は、タッチパネル式機器２０に充電するためのプラグである。
【００１４】
以上説明したように、本実施形態によれば、クリーニング装置１０にタッチパネル式機器２０を挿入するときや取り出すときに、表示画面２１の表面が清掃部材１２によって拭き取られる。
また、挿入したタッチパネル式機器２０がスイッチ１４をオンすると、殺菌灯１３が一定時間（例えば、１０秒）だけ発光して、表示画面２１の表面を殺菌することができる。
さらに、充電するためのプラグ１７を設けてあるので、不使用時には、充電することができる。
【００１５】
（変形形態）
以上説明した実施形態に限定されることなく、種々の変形や変更が可能であって、それらも本発明の技術的範囲内である。
例えば、タッチパネル式機器２０によっては、ケース１１は横長にして、長辺の側に挿入口を設けるようにしてもよい。
また、清掃部材１２は着脱式にして、適宜交換できるようにしてもよい。
【符号の説明】
【００１６】
１０  クリーニング装置
１１  ケース
１２  清掃部材
１３  殺菌灯
１４  スイッチ
１５  電源回路
１６，１７  プラグ
２０  タッチパネル式機器
２１  表示画面
【図１】
2013086012.tif 000003
【図２】
2013086012.tif 000004
(57)【要約】【課題】このタイプのオイルフィルターレンチを使用する時、オイルフィルターを掴む爪が自動で締め付けて使い易くなるようにオイルフィルターレンチの各爪にフックを設け、フックにスプリングを掛けた、スプリング付きオイルフィルターレンチを提供する。【解決手段】オイルフィルターレンチの各爪（１）にフック（２）を設け、フック（２）にスプリング（３）を掛けた、スプリング付きオイルフィルターレンチを特徴とする。【選択図】図１
2013086251.tif 000002
【特許請求の範囲】
【請求項１】
オイルフィルターレンチの各爪（１）にフック（２）を設け、フック（２）にスプリング（３）を掛けたスプリング付オイルフィルターレンチ。
【発明の詳細な説明】
【技術分野】
【０００１】
この発明は、オイルフィルターレンチの各爪をスプリングで繋いだオイルフィルターレンチに関するものである。
【背景技術】
【０００２】
従来このタイプのオイルフィルターレンチは締め付けが困難であった。
【発明の概要】
【発明が解決しようとする課題】
【０００３】
これは、次のような欠点があった。
従来、このタイプのオイルフィルターレンチの爪は自身では締め付けしないためオイルフィルターの取り付け場所によっては容易にオイルフィルターを掴めず、オイルフィルターの取り外しが困難であった。本発明は、以上のような欠点を無くす為になされたものである。
【課題を解決するための手段】
【０００４】
オイルフィルターの各爪（１）にフック（２）を設け、それぞれのフック（２）にスプリング（３）を繋ぐ。
【発明の効果】
【０００５】
スプリングによりオイルフィルターレンチの爪が常に縮められることでオイルフィルターにレンチを容易に固定することができ、オイルフィルターを簡単に取り外すことができる。
なおオイルフィルターを外した後もレンチがオイルフィルターを保持できるので、走行直後の熱いオイルフィルターに触らずに済み、オイルフィルターから垂れるオイルでのオイル汚れを減少する事ができる。
【図面の簡単な説明】
【０００６】
【図１】本発明の正面図である。
【図２】本発明の側面図である。
【発明を実施するための形態】
【０００７】
オイルフィルターレンチの爪（１）のそれぞれにフック（２）を設ける。スプリング（３）をフック（２）に掛ける。
本発明は、以上の様な構造である。これを利用する時は普通にラチェットハンドルなどで使用すればよい。
【符号の説明】
【０００８】
１  オイルフィルターレンチの爪
２  フック
３  スプリング
【図１】
2013086251.tif 000003
【図２】
2013086251.tif 000004
(57)【要約】【課題】  従来の磁性体切くず処理コンベヤは、底部に磁石を設けスクレーパーで切くずを掻きだしていた。そのため摩擦が大きく底板の摩耗が早く破損する恐れがあった。又、切削油剤はスクレーパの高さの位置を流れるため微小切くずが磁石に吸着されずにコンベヤから切削油剤と一緒に貯留タンクに流入し堆積するという問題があった。【解決手段】  沈降した切くずをスクレーパで掻きだし、浮遊する微小切くずはコンベの縦方向の中間部に設けた磁石で吸着し、狭い流路を設け切削油剤を浄化し、磁石に吸着した微小切くずはステンレス製の掻板で掻き寄せてかたまりを切くずと一緒に機外に搬出することができる【選択図】図２
2013086254.tif 000002
【特許請求の範囲】
【請求項１】
スクレーパ５にステンレス製の掻板６を設け、磁石８をコンベヤの縦方向の左側または右側及び両側に設け、磁石に接する面に流路９を有し切削油剤を浄化させる切くず処理コンベヤ。
【発明の詳細な説明】
【技術分野】
【０００１】  本発明は、工作機械から切削油剤と一緒出た磁性体の切くず（以下、切くず）を、コンベヤ内で沈降させ、スクレーパで排出し、浮遊した微小切くずを中間に設けた磁石で吸着し掻板で掻き寄せ、かたまりをコンベヤ内に沈降させ切くずと一緒に排出させるものある。
【背景技術】
【０００２】  従来の工作機械の切くず処理コンベヤは、底部に磁石を設け、切くずを吸着させ排出するものが主流であった。
【発明の概要】
【発明が解決しようとする課題】
【０００３】  以上に述べた従来のコンベヤは、底部の磁石に切くずが吸着し、かたまりをスクレーパで掻出すため底板が摩耗しやすい。又、微小切くずは切削油剤と一緒にスクレーパの高さの位置から磁石の磁気が及ばないところを流れるのでコンベヤの外側の貯留タンクに流入し堆積するという問題があった。【０００４】  本発明は、このような従来の構成が有していた問題を解決しようとするものであり、コンベヤの底板の摩耗を少なくするとともに、切削油剤と微小切くずは磁石の磁気の及ぶ狭い流路を通過させ、微小切くずを回収する装置を実現することを目的とするものである。【０００５】  コンベヤー内に工作機械から切削油剤と一緒に流入した切くずは沈降して、スクレーパで機外へ排出する。【０００６】又、第２の課題は、コンベヤ内縦方向の中間位置側面の片側、又は、両側に磁石を設け、さらに磁石の磁気が及ぶ狭い流路を設け、沈降しなかった浮遊する微小切くずが必ず、磁石に吸着するようにする機能を有している。【０００７】  さらに、第３の課題解決手段による作用は、磁石に吸着した微小切くずをスクレーパに取り付たステンレス製の掻板で自動的に掻寄せ、かたまりとしてコンベヤ内に沈降させ切くずと一緒に機外へ排出させる機能を有している。
【発明の効果】
【０００８】  上述したように、本発明の切くず処理コンベヤは沈降と、磁石に吸着させる機能を分け、沈降した切くずは底板との摩擦抵抗がなく掻き寄せが容易になる。
又、浮遊する微小切くずは磁石に吸着し掻板で掻き出し、切削油剤の浄化精度の向上が図られる。
【図面の簡単な説明】
【０００９】
【図１】  本発明の実施形態を示す切くず処理コンベヤの外形側面図である。
【図２】  同上、図１におけるＡ−Ａ線断面図である。
【図３】  図２におけるＢ−Ｂ線断面図である。
【図４】  図２におけるＣ−Ｃ線断面図である。
【発明を実施するための形態】
【００１０】  以下、本発明を実施するための形態を図１〜４に基づいて説明する。
【００１１】  図において、１は減速歯車付モータで、軸２及びスプロケット３を介してチェーン４を移動させる。
【００１２】  チェーンにはスクレーパー５が取り付けられ、入口６から切削油剤と一緒に流入し、沈降した切くずを排出口７までで搬送させる。
【００１３】  コンベヤの縦方向の中間位置で図２の左側または右側及び両側に磁石８が設けられていて、浮遊した微小切くずは流路９を切削油剤と一緒に流れる時に吸着される。この時切削油剤は浄化されて出口１０から貯留タンクに流入する。
【００１４】  スクレーパにはステンレス製の掻板１１が取り付けられており、磁石に吸着した微小切くずを掻き寄せて、かたまりになり沈降し、切くずと一緒に排出口まで掻き寄せて機外へ排出させる。
以上の構成部品で浄化された切削油剤はポンプで工作機械へ送られ、再び入口から切くずと一緒に流入する。
【符号の説明】
【００１５】１      減速歯車付きモータ
２      モータに接続した軸
３      軸に固定されたスプロケット
４      スプロケットに噛み合わせたチェーン
５      チェーンに取り付けられたスクレーパ
６      切削油剤と一緒に流入する切くずの入口
７      切くず及び微小切くずの排出口
８      ステンレス及び鉄板で囲まれた磁石
９      切削油剤及び微小切くずの流路
１０    浄化された切削油剤の出口
１１    ステンレス製の掻板
【図１】
2013086254.tif 000003
【図２】
2013086254.tif 000004
【図３】
2013086254.tif 000005
【図４】
2013086254.tif 000006